(57)【特許請求の範囲】
【請求項１】
建築物の目地に挿入して取付けられる目地用ガスケットであって、
前記目地用ガスケットは、ガスケット脚部と該ガスケット脚部に連結されるガスケット頭部とから構成され、前記ガスケット脚部は前記目地を防水するシール片を有し、前記ガスケット頭部は前記目地を閉塞する表装部を有するものであり、
前記目地用ガスケットは、複数のガスケット頭部を、１本のガスケット脚部の受部に連結させて一体化され、この一体化された目地用ガスケットを、前記ガスケット脚部の先端から前記目地に挿入して取付けるものであることを特徴とする目地用ガスケット。
【請求項２】
前記ガスケット脚部は、中心基部の両側に延出した前記シール片を有し、前記ガスケット頭部と前記ガスケット脚部の中心基部とのいずれか一方に突起部を、他方に該突起部が連結される受部を設けたことを特徴とする請求項１記載の目地用ガスケット。
【請求項３】
前記シール片は、前記中心基部から左右対称に後斜方向に延出する複数のシール片から構成され、該シール片は隣接するシール片同士が中空のブリッジ片により連結されていることを特徴とする請求項１又は２記載の目地用ガスケット。
【請求項４】
ガスケット頭部とガスケット脚部とから構成される目地用ガスケットを、建築物の目地に挿入して取付ける目地用ガスケットの取付方法であって、
複数のガスケット頭部を、１本のガスケット脚部の受部に連結させて一体化し、この一体化した目地用ガスケットを、前記ガスケット脚部の先端から前記目地に挿入して取付けることを特徴とする目地用ガスケットの取付方法。
【請求項５】
前記複数のガスケット頭部の各々は、前記目地を構成する部材の色柄、形状に対応する表装部を有することを特徴とする請求項４記載の目地用ガスケットの取付方法。
【請求項６】
目地に目地用ガスケットを挿入して取付けた建築物であって、
前記目地用ガスケットは、複数のガスケット頭部を、１本のガスケット脚部の受部に連結させて一体化され、この一体化された目地用ガスケットが、前記ガスケット脚部の先端から前記目地に挿入して取付けられることを特徴とする目地用ガスケットを取付けた建築物。
【請求項７】
前記複数のガスケット頭部は、前記目地を構成する部材の色柄、形状に対応する表装部を有することを特徴とする請求項６記載の目地用ガスケットを取付けた建築物。
【請求項８】
前記ガスケット脚部は、中心基部の両側に延出したシール片を有し、前記ガスケット頭部と前記ガスケット脚部の中心基部とのいずれか一方に突起部を、他方に該突起部が連結される受部を設けたことを特徴とする請求項６又は７記載の目地用ガスケットを取付けた建築物。
【発明の詳細な説明】
【０００１】
【発明の属する技術分野】
本発明は、建築物の外壁パネル等の隙間（目地）に挿入され、外観の美観を向上させると共に防水機能を有する目地用ガスケット、該ガスケットの取付方法及び前記ガスケットを取付けた建築物に関する。
【０００２】
【従来の技術】
建築物の構造体の周囲に複数の外壁パネルを取付けると、各外壁パネルの間には目地と称する隙間が生じる。この目地には、外観の美観を向上させるため、あるいは雨水の侵入を防止するために、種々の施工が行なわれている。湿式の施工方法として、モルタルを塗り込んだり、コーキング材（シーリング材）を注入、充填する施工方法があるが、これらの施工方法は施工自体が煩雑であり、現場にて行なわれるため天候等に左右されやすく、施工者の技術により施工状態が変化してしまうという問題点がある。また、他の施工方法としては、外壁パネル等の目地にガスケットを挿入する乾式の施工方法があり、この方法は施工自体が容易に行なえるので、広く行なわれている。
【０００３】
従来、この種のガスケットを用いる目地の施工方法として、特開平６−２０７４３３号公報に示されたものがある。前記の公報に記載されたガスケット１は、図５に示すように、先端部から目地に挿入される芯材２と、芯材２の両側面から後斜方向に延出して、目地の内部にて目地を塞ぐ左右対称形の内部シール片３ａ、３ａ、３ｂ、３ｂと、芯材２の後端部に設けられ、目地の表面側の位置にて目地を塞ぐ表面シール片４ａと、表面シール片４ａと前隣の内部シール片３ｂ、３ｂとを芯材２の両側にて連結する一対のブリッジ片６、６とからなり、表面シール片４ａの表面は、凹状の湾曲面に形成されていることを特徴とするものであり、ガスケットを挿入する際に、表面ひれの巻き込みや蛇行が生じないように改良されたものである。
【０００４】
【発明が解決しようとする課題】
ところで、前記構造の目地用ガスケット１は、目地の幅が多少変化する場合は弾性体で構成される内部シール片３ａ、３ｂが幅の変化に対応して密着し、防水性能を確保できるが、外壁パネルやアルミサッシ等の目地を構成している部材の色や柄が縦方向の途中で変化する場合は、部材の色や柄とガスケットの色や柄が異なり、ガスケットが浮き上がり違和感のあるものとなってしまう。この場合、色や柄を合わせるためにガスケットを途中で切って接続する場合もあるが、これでは防水性能が低下する虞がある。
【０００５】
本発明は、このような問題に鑑みてなされたものであって、その目的とするところは、目地の幅や、目地を構成する部材の色柄や形状が変化する場合、あるいは途中で変化する場合でも、防水性能を損なうことなく部材に合わせて接続し、外壁の色や柄と合わせることができる目地用ガスケット、該ガスケットの取付方法、及び該ガスケットを取付けた建築物を提供することにある。
【０００６】
【課題を解決するための手段】
前記目的を達成すべく、請求項１に記載の発明による目地用ガスケットは、建築物の目地に挿入して取付けられる目地用ガスケットであって、前記目地用ガスケットはガスケット脚部と該ガスケット脚部に連結されるガスケット頭部とから構成され、前記ガスケット脚部は前記目地を防水するシール片を有し、前記ガスケット頭部は前記目地を閉塞する表装部を有するものであり、前記目地用ガスケットは、複数のガスケット頭部を、１本のガスケット脚部の受部に連結させて一体化され、この一体化された目地用ガスケットを、前記ガスケット脚部の先端から前記目地に挿入して取付けるものであることを特徴とする。この構成によれば、目地を構成する部材の幅や色柄が途中で異なる場合でも、防水を行う一つのガスケット脚部に複数のガスケット頭部を連結して一体化して目地用ガスケットを構成し、この目地用ガスケットを目地に挿入して取付けることができ、目地用ガスケットは目地を構成する部材から浮き上がることがなく、建築物の外観の美観が向上でき、防水性能も損なうこともない。
【０００７】
請求項２に記載の発明による目地用ガスケットは、前記ガスケット脚部が中心基部の両側に延出した前記シール片を有し、前記ガスケット頭部と前記ガスケット脚部の中心基部とのいずれか一方に突起部を、他方に該突起部が連結される受部を設けたことを特徴とする。この構成によれば、ガスケット頭部とガスケット脚部とが極めて容易な操作により連結でき、目地用ガスケット１０を一体化することができる。
【０００８】
請求項３に記載の発明による目地用ガスケットは、前記シール片が前記中心基部から左右対称に後斜方向に延出する複数のシール片から構成され、該シール片は隣接するシール片同士が中空のブリッジ片により連結されている。この構成によれば、シール片が偏った状態で外壁パネル等の部材に弾接することがなく、弾接状態が左右均等になり、防水性能が向上すると共に美観も向上し、目地用ガスケット１０の耐久性が向上する。
【０００９】
請求項４に記載の発明による目地用ガスケットの取付方法は、ガスケット頭部とガスケット脚部とから構成される目地用ガスケットを、建築物の目地に挿入して取付ける目地用ガスケットの取付方法であって、複数のガスケット頭部を、１本のガスケット脚部の受部に連結させて一体化し、この一体化した目地用ガスケットを、前記ガスケット脚部の先端から前記目地に挿入して取付けることを特徴としている。この構成によれば、色柄等の異なる複数のガスケット頭部をガスケット脚部に一体的に連結させてから外壁パネル等の目地に挿入でき、目地用ガスケットの取付けが極めて容易に行える。
【００１０】
請求項５に記載の発明による目地用ガスケットの取付方法は、前記複数のガスケット頭部の各々は、前記目地を構成する部材の色柄、形状に対応する表装部を有する。この構成によれば、目地を構成する部材の色柄等が途中で変化する場合でも、各々の部材の色柄等にガスケット頭部を合わせることができ、建築物の美観を向上することができる。
【００１１】
請求項６に記載の発明による目地用ガスケットを取付けた建築物は、目地に目地用ガスケットを挿入して取付けた建築物であって、前記目地用ガスケットは、複数のガスケット頭部を、１本のガスケット脚部の受部に連結させて一体化され、この一体化された目地用ガスケットが、前記ガスケット脚部の先端から前記目地に挿入して取付けられることを特徴とする。この構成によれば、１本のガスケット脚部により防水できるため防水性能が向上し、複数のガスケット頭部により目地を構成する部材に色柄等合わせることができるため、目地用ガスケットを目立たなくすることができる。また、ガスケット頭部のみを容易に交換することができるので、防水性を損なうことなく低コストで目地用ガスケットを補修できる。
【００１２】
請求項７に記載の発明による目地用ガスケットを取付けた建築物は、前記複数のガスケット頭部が前記目地を構成する部材の色柄、形状に対応する表装部を有することが好ましい。この構成によれば、目地を構成する外壁パネルや開口部等の部材の色柄、形状に合わせてガスケット頭部を連結することができるので、目地が目立たなくて質感が高く、外観の美観を向上させた建築物を提供することができる。
【００１３】
請求項８に記載の発明による目地用ガスケットを取付けた建築物は、前記ガスケット脚部は、中心基部の両側に延出したシール片を有し、前記ガスケット頭部と前記ガスケット脚部の中心基部とのいずれか一方に突起部を、他方に該突起部が連結される受部を設けたことを特徴とする。この構成によれば、前記ガスケット頭部と前記ガスケット脚部との連結が容易であり、目地への目地用ガスケットの取付けが容易な建築物とすることができる。
【００１４】
【発明の実施の形態】
以下、本発明に係る目地用ガスケットの一実施形態を図面に基づき詳細に説明する。図１は本発明に係る目地用ガスケットの一実施形態の断面図、図２（ａ）は図１の目地用ガスケットのガスケット頭部の断面図、図２（ｂ）は図１の目地用ガスケットのガスケット脚部の断面図、図２（ｃ）は他のガスケット頭部の断面図である。図１、２において、目地用ガスケット１０はガスケット脚部１１と、ガスケット脚部１１に連結されるガスケット頭部２０とから構成される。また、ガスケット脚部１１にはガスケット頭部２５を連結することができる。ガスケット脚部１１は目地を防水するシール片１２を有し、ガスケット頭部２０、２５は目地を閉塞する表装部２１、２６を有する。なお、本明細書において、目地用ガスケットは挿入される方向を前方とし、挿入して取付けられた状態において、外壁パネル側を後方とする。
【００１５】
ガスケット脚部１１は、エチレン−プロピレン−ジエン−ターポリマ（以下、ＥＰＤＭという）等のゴム弾性体から押出し成形等により長尺材に形成され、中心基部１３は厚肉で硬質に形成されている。このゴム弾性体の硬度は５５度〜７５度に設定されている。中心基部１３の後端はガスケット頭部２０の突起部が係合する受部１４となっている。受け部１４は中央の凹部と両側の係合片とから構成される。中心基部１３から左右対称に後斜方向に複数のシール片１２が延出しており、このシール片１２は肉薄で弾性変形可能である。
【００１６】
シール片１２は前記のように後方に向けて６０度程度の角度で傾斜しているため、目地に挿入されるときは抵抗が小さく挿入が容易であり、挿入されて取付けられたあとはシール片１２が目地に食い込むため離脱しにくい構成となっている。シール片１２は３対、延出されており、後方の２対は中空のブリッジ片１５により連結されている。ブリッジ片１５は連結された２対のシール片が単独で変形するのを防止するため、１つのシール片１２が単独で大きく変形することはない。
【００１７】
ガスケット頭部２０は台形状の表装部２１と、この表装部２１に連続する先細矢印状の突起部２２とから構成され、突起部２２は表装部２１に対して直交している。ガスケット頭部２０は同様にＥＰＤＭ等のゴム弾性体から、例えば押出し成形により長尺材に形成されている。そして、表装部２１の表面は塩素化ポリエチレン（以下、ＣＰＥという）のカラー材の層２３が形成され、挿入される外壁パネル等に合わせて各種の色彩が施されている。例えばグレイ色の外壁パネル、黒色のカラーサッシ、ブロンズ色のカラーサッシ等に合わせた色彩が施される。突起部２２は前述のように先細矢印状をしており、先端の頭部は挿入しやすいような形状になっており、頭部と表装部との間はくびれ部となっており、このくびれ部に受け部１４の係合片が係合して、ガスケット脚部１１に連結可能である。
【００１８】
図２（ｃ）に示される他のガスケット頭部２５は、前記のガスケット頭部２０と同様にＥＰＤＭ等のゴム弾性体から、例えば押出し成形により形成されるものであり、表装部２６の形状が異なっている。すなわち、表装部２６の幅W２は、前記ガスケット頭部２０の表装部２１の幅W１より小さく設定されている。そして、突起部２７は前記の突起部２２と全く同じ形状をしており、ガスケット脚部１１に連結可能である。
【００１９】
前記の如く構成された本実施形態の目地用ガスケット１０を、外壁パネル等の目地へ挿入して取付ける動作について、図３、４を参照して以下に説明する。図３（ａ）は建築物の目地を示す要部正面図、（ｂ）は目地用ガスケットの連結前の状態の斜視図、図４（ａ）は図３の外壁パネル部分の断面図、図４（ｂ）は図３の開口部の断面図である。建築物５は図３（ａ）に示されるように、例えば柱と梁とから略箱形に形成された鉄骨系ユニット住宅で外壁パネル７、開口部であるアルミサッシ８が設けられ、縦横方向に目地６が形成されている。目地は２つの外壁パネル７間に形成される場合、窓枠等の開口部であるアルミサッシ８間に形成される場合、アルミサッシ８と外壁パネル７間に形成される場合等がある。
【００２０】
図３、４は外壁パネル７、７間に形成される目地６Ａ、６Ｂと、アルミサッシ８、８間に形成される目地６Ｃを示しており、例えば外壁パネル７はグレイ色をしており、アルミサッシ８はブロンズ色をしている。目地用ガスケット１０は垂直方向の目地に挿入されるものであり、水平方向の目地には水切り板等が装着される。外壁パネル部分の目地６Ａ、６Ｂは、図４（ａ）に示されるように幅広の段差部Ｄ１が形成され、開口部の目地６Ｃは、図４（ｂ）に示されるように幅狭の段差部Ｄ２が形成されている。
【００２１】
このような目地６Ａ、６Ｂ、６Ｃに目地用ガスケット１０を挿入する場合は、先ず、全体の縦方向の寸法に相当する長さLの１本のガスケット脚部１１を用意する。次に、アルミサッシ８の上部と下部の外壁パネル７ａ、７ｂに対応して、グレイ色のガスケット頭部２０を外壁パネル７ａ、７ｂの縦寸法Ｌ１、Ｌ３に分割し、ガスケット頭部２０Ａ、２０Ｂを形成する。そして、アルミサッシ８に対応してブロンズ色のガスケット頭部２５をアルミサッシ８の長さL２に分割して、ガスケット頭部２５Ａを形成する。ここで、Ｌ＝Ｌ１＋Ｌ２＋Ｌ３である。このようにして所定の寸法に切断したグレイ色のガスケット頭部２０Ａ、２０Ｂ及びブロンズ色のガスケット頭部２５Ａを、１本のガスケット脚部１１に連結させる。すなわち、ガスケット脚部１１の受部１４にガスケット頭部２０Ａ、２０Ｂ、２５Ａの突起部２２、２７を挿入するという極めて容易な操作により連結して、目地用ガスケット１０を一体化することができる。
【００２２】
一体化された目地用ガスケット１０は、外壁パネル７及びアルミサッシ８により形成される目地６Ａ、６Ｂ、６Ｃに先端部より挿入されて取付けられるため、色柄の異なった目地用ガスケット１０を一度に容易に取付けることができる。このように取付けられた目地用ガスケット１０は、ガスケット脚部１１のシール片１２が外壁パネル７の裏面に取着されている鉄骨フレーム５ａの対向面、外壁パネル７の端面及びアルミサッシ８に弾接し、雨水等の侵入が防止される。このように、ガスケット脚部１１はシール片１２により目地の防水を行なう。
【００２３】
また、ガスケット頭部２０、２５は、表装部２１、２６により目地６の開口を閉塞し、グレイ色の外壁パネル７間の目地にはグレイ色のガスケット頭部２０が挿入され、ブロンズ色のアルミサッシ８間の目地にはブロンズ色のガスケット頭部２５が挿入される。このため、目地が目立たなくなり、建築物の質感を高めることができる。シール片１２は隣接するシール片同士が中空のブリッジ片１５により連結されており、一つのシール片が大きく変形することがないため、シール片が偏った状態で弾接することがなく弾接状態が左右均等になり、防水性能が向上すると共に美観も向上し、目地用ガスケット１０の耐久性が向上する。
【００２４】
さらに、ガスケット頭部２０、２５は建築物の外側に位置するため変質する可能性が高いが、ガスケット頭部が変質した場合はこの部分のみを取り外し、新しいガスケット頭部をガスケット脚部１１に連結して交換することができる。このようにガスケット頭部のみを容易に交換することができるので、防水性能を損なうことなく、低コストで目地用ガスケット１０を、一部のみ交換して補修することができ、耐久性を向上させることができる。
【００２５】
なお、前記した実施形態では、１本のガスケット脚部に３個のガスケット頭部を連結する例を示したが、ガスケット脚部に分割されず色柄の異なる１本のガスケット頭部を連結して一体化してもよい。また、ガスケット頭部に突起部を、ガスケット脚部に受け部を形成して両者を連結するように構成したが、ガスケット脚部に突起部を形成してガスケット頭部に受け部を形成して連結するように構成してもよい。さらに、ガスケットはＥＰＤＭ、ＣＰＥ等のゴム弾性体から構成したが、他の材質でもよいのは勿論である。ブリッジ片は２つのシール片を連結する構成としたが、３つのシール片を連結するようにしてもよい。
【００２６】
【発明の効果】
以上の説明から理解できるように、請求項１に記載の発明による目地用ガスケットによれば、目地用ガスケットはガスケット脚部と該ガスケット脚部に連結されるガスケット頭部とから構成され、前記ガスケット脚部は前記目地を防水するシール片を有し、前記ガスケット頭部は前記目地を閉塞する表装部を有するように構成したので、目地を構成する部材の幅や色柄が途中で異なる場合でも、一つのガスケット脚部に複数のガスケット頭部を連結して一体化して目地用ガスケットを構成し、この目地用ガスケットを目地に挿入して取付けることができ、目地用ガスケットは目地を構成する部材から浮き上がることがなく、建築物の外観の美観が向上し、防水性能も損なわない。
【００２７】
請求項２に記載の発明による目地用ガスケットによれば、前記ガスケット脚部は、中心基部の両側に延出した前記シール片を有し、前記ガスケット頭部と前記ガスケット脚部の中心基部とのいずれか一方に突起部を、他方に該突起部が連結される受部を設けたので、極めて容易な操作により連結でき、目地用ガスケット１０を一体化することができる。
【００２８】
請求項３に記載の発明による目地用ガスケットによれば、前記シール片は、前記中心基部から左右対称に後斜方向に延出する複数のシール片から構成され、該シール片は隣接するシール片同士が中空のブリッジ片により連結されているので、シール片が偏った状態で弾接することがなく弾接状態が左右均等になり、防水性能が向上すると共に美観も向上し、目地用ガスケット１０の耐久性が向上する。
【００２９】
請求項４に記載の発明による目地用ガスケットの取付方法によれば、複数のガスケット頭部を、１本のガスケット脚部の受部に連結させて一体化し、この一体化した目地用ガスケットを、前記ガスケット脚部の先端から前記目地に挿入して取付けるので、色柄等の異なる複数のガスケット頭部をガスケット脚部に一体的に連結させて目地に挿入でき、取付けが極めて容易に行える。
【００３０】
請求項５に記載の発明による目地用ガスケットの取付方法によれば、前記複数のガスケット頭部の各々は、前記目地を構成する部材の色柄、形状に対応する表装部を有するので、目地を構成する部材の色柄等が途中で変化する場合でも、各々の部材の色柄等に合わせることができ、建築物の美観を向上することができる。
【００３１】
請求項６に記載の発明による目地用ガスケットを取付けた建築物によれば、前記目地用ガスケットは複数に分割され、前記ガスケット脚部は、前記複数のガスケット頭部を連結する１本から構成されるので、１本のガスケット脚部により防水できて防水性能が向上し、複数のガスケット頭部により目地を構成する部材に色柄等を合わせることができる。また、ガスケット頭部のみを容易に交換することができ、防水性を損なうことなく低コストで目地用ガスケットを補修できる。
【００３２】
請求項７に記載の発明による目地用ガスケットを取付けた建築物によれば、前記複数のガスケット頭部は、前記目地を構成する部材の色柄、形状に対応する表装部を有するので、目地を構成する外壁パネルや開口部等の部材の色柄、形状に合わせてガスケット頭部を連結することができるので、目地が目立たなくて質感が高く、外観の美観を向上させた建築物を提供することができる。
【００３３】
請求項８に記載の発明による目地用ガスケットを取付けた建築物によれば、前記ガスケット脚部は、中心基部の両側に延出したシール片を有し、前記ガスケット頭部と前記ガスケット脚部の中心基部とのいずれか一方に突起部を、他方に該突起部が連結される受部を設けたので、前記ガスケット頭部と前記ガスケット脚部との連結が容易な目地用ガスケットを取付けた建築物とすることができる。
【図面の簡単な説明】
【図１】本発明に係る目地用ガスケットの一実施形態の断面図。
【図２】（ａ）は図１の目地用ガスケットのガスケット頭部の断面図、（ｂ）は図１の目地用ガスケットのガスケット脚部の断面図、（ｃ）は他のガスケット頭部の断面図。
【図３】（ａ）は建築物の目地を示す要部正面図、（ｂ）は目地用ガスケットの連結前の状態の斜視図。
【図４】（ａ）は図３の外壁パネル部分の断面図、（ｂ）は図３の開口部の断面図。
【図５】従来のガスケットを示す横断面図。
【符号の説明】
５  建築物
６、６Ａ、６Ｂ、６Ｃ  目地
７  外壁パネル
８  アルミサッシ
１０  目地用ガスケット
１１  ガスケット脚部
１２  シール片
１３  中心基部
１４  受部
１５  ブリッジ片
２０、２０A、２０B、２５、２５A  ガスケット頭部
２１、２６  表装部
２２、２７  突起部
２３  カラー層
【図１】
0004071411.tif 000002
【図２】
0004071411.tif 000003
【図３】
0004071411.tif 000004
【図４】
0004071411.tif 000005
【図５】
0004071411.tif 000006